(57)【要約】【課題】  電極保持容器への校正液（標準液）の充填工程、洗浄液の注入工程及び乾燥工程において、従来の吸引／排出ポンプの設置及びレベルセンサー及びその付属部品の設置を不要とし、装置の大幅な簡素化を図る。【解決手段】  校正液押出吸入手段から電極保持容器への校正液の導入及び電極保持容器から校正液押出吸入手段への校正液の戻しを、圧縮空気又は吸引ポンプ等の吸引装置を用いず校正液押出吸入手段のピストンの押し下げ及び押し戻しのみによって行い、洗浄液押出手段から電極保持容器への洗浄液の導入を、圧縮空気又は吸引ポンプ等の吸引装置を用いず洗浄液押出手段の前記ピストンの押し下げ及び押し戻しのみによって行い、空気押出手段から電極保持容器への空気の導入を、圧縮空気又は吸引ポンプ等の吸引装置を用いず空気押出手段のピストンの押し下げ及び押し戻しのみによって行う電極校正支援装置。【選択図】  図１
2018155575.tif 000002
【特許請求の範囲】
【請求項１】
電極測定部を有する電極を保持する電極保持容器と、
ピストンとシリンダを含み、校正液を出し入れする校正液押出吸入手段と、
ピストンとシリンダを含み、洗浄液を送り出す洗浄液押出手段と、
ピストンとシリンダを含み、空気を送り出す空気押出手段とを含み、
前記電極保持容器には校正液出入口、及び排液口が形成され、
前記電極保持容器には洗浄液入口及び空気入口が形成され、
前記校正液入口は管により前記校正液押出吸入手段に接続され、
前記洗浄液入口は管により前記洗浄水押出手段に接続され、
前記空気入口は管により前記空気押出手段に接続され、
前記校正液押出吸入手段から前記電極保持容器への前記校正液の導入及び前記電極保持容器から前記校正液押出吸入手段への前記校正液の戻しを、圧縮空気又は吸引ポンプ等の吸引装置を用いず前記校正液押出吸入手段の前記ピストンの押し下げ及び押し戻しによって行い、
前記洗浄液押出手段から前記電極保持容器への前記洗浄液の導入を、圧縮空気又は吸引ポンプ等の吸引装置を用いず前記洗浄液押出手段の前記ピストンの押し下げ及び押し戻しによって行い、
前記空気押出手段から前記電極保持容器への前記空気の導入を、圧縮空気又は吸引ポンプ等の吸引装置を用いず前記空気押出手段の前記ピストンの押し下げ及び押し戻しによって行う、
電極校正支援装置。
【請求項２】
前記電極がｐＨ電極である請求項１に記載の電極校正支援装置。
【請求項３】
前記電極がＤＯ電極である請求項１に記載の電極校正支援装置。
【発明の詳細な説明】
【技術分野】
【０００１】
本発明は、微生物及び動・植物細胞を利用した食品、医薬品等の製造又は研究に用いられる培養装置に使用されるｐＨ電極やＤＯ（溶存酸素）電極等の電極校正支援装置に関する。特には、校正液及び洗浄液等の充填方法に工夫をこらした電極校正支援装置に関する。
【背景技術】
【０００２】
ｐＨ電極やＤＯ（溶存酸素）電極は、培養時の培養液の質的変化による培養の状況、即ち菌体及び動・植物細胞の生育状況や、菌体及び動・植物細胞の生産物、或いは雑菌汚染の有無を確認するのに従来から広く使用されている。
【０００３】
これらの電極は使用時毎に校正を行うことは電極の性質上、必要不可欠である。
【０００４】
例えば、ｐＨ電極の場合、予め用意された２種類の標準校正液（バッファ＝緩衝溶液）、ｐＨ７（ゼロ校正用）とｐＨ４又はｐＨ９（スパン校正用）に電極先端（測定部）を交互に浸し、校正を行う。
【０００５】
又、ＤＯ電極の場合には、予め調整、用意した標準校正液（５〜１０％の亜硫酸ナトリウム溶液）でゼロ校正を行い、空気によりスパン校正を行う。
【０００６】
前記電極の従来からの手作業による校正作業はｐＨ電極の校正の場合を例にすれば次のとおりである。
【０００７】
（１）洗浄
ｐＨ電極の先端（測定部）を蒸留水で洗浄する。
（２）拭き取り
上記（１）の水気を取る。
（３）ゼロ校正
容器に取った標準校正液（ｐＨ７）に電極を浸す。
（４）校正
測定器の値をｐＨ７に合わせる。
（５）洗浄
ｐＨ電極の先端（測定部）を蒸留水で洗浄する。
（６）拭き取り
上記（５）の水気を取る。
（７）スパン校正
容器に取った標準校正液（ｐＨ４）に電極を浸す。
（８）校正
測定器の値をｐＨ４に合わせる。
（９）洗浄
ｐＨ電極の先端（測定部）を蒸留水で洗浄する。
（１０）拭き取り
上記（９）の水気を取る。
（１１）終了
以上が従来の手作業によるｐＨ電極の校正作業である。
【０００８】
次に、従来のＤＯ電極の手作業による校正手順は以下のとおりである。
（１）洗浄
ＤＯ電極の先端（測定部）を蒸留水で洗浄する。
（２）拭き取り
水気を取る。
（３）ゼロ校正
容器に取ったゼロ校正液（５〜１０％の亜硫酸ナトリウム溶液）に電極先端を浸す。
（４）校正
測定器を０％に合わせる。
（５）洗浄
ＤＯ電極の先端（測定部）を蒸留水で洗浄する。
（６）拭き取り
水気を取る。
（７）スパン校正
大気中にＤＯ電極を保持する。
（８）空気校正
酸素分圧の等しい空気を基準として１００％とする。相対酸素飽和濃度ともいう。他にｍｇ／Ｌ、ｐｐｍを単位とする場合もある。
【０００９】
以上の手作業による電極校正作業は、煩雑であり、校正液の洗浄、除去が不十分となり校正に正確さを欠いたり、いちいち電極を取り外す必要があるため硝子製の先端測定部を破損する等不都合な問題点があった。
そこで、本発明者は、先般、電極校正装置（特開２０１７−３７０１８）を開発し、自動化による作業の大幅な効率化、正確性及び安全性の向上を達成した。
【００１０】
すなわち、従来の電極校正装置（特開２０１７−３７０１８）の構成は、
【００１１】
管状の容器であって、容器内部に電極を保持し、容器下部に洗浄水入口、校正液出入口、排液口を配し、前記各入口及び前記排液口には電磁弁が備えられており、前記容器の中間部にレベルセンサーを配置し、前記容器の上部側胴部に吸排出口を配してなる電極校正装置であり、
【００１２】
又、電極校正装置（特開２０１７−３７０１８）によるｐＨ電極の校正の場合を例にすれば、従来の電極校正支援装置の校正作業は以下のとおりである。
【００１３】
ステップ０：準備
ｐＨ電極を電極保持容器の上部より載置する。
ステップ１：標準液ｐＨ７充填
電磁弁Ｖ２が開き吸入／排出ポンプの吸気作用により校正液（ｐＨ７）をレベルセンサーで検知されるレベルまで電極保持容器に注入後Ｖ２が閉まり保持する。
ステップ２：標準液ｐＨ７戻し
測定器の値をｐＨ７に合わせた後、電磁弁Ｖ２が開き、吸入／排出ポンプの空気押し出し作用により、標準校正液ｐＨ７をその容器に戻す。
ステップ３：洗浄
電磁弁Ｖ３が開き吸入／排出ポンプの吸気作用により洗浄液をレベルセンサーで検知されるレベルまで電極保持容器に注入後、Ｖ３が閉まり保持する。
ステップ４：洗浄水排出
電磁弁Ｖ４が開き吸入／排出ポンプの空気押し出し作用により洗浄液を電極保持容器外に排出する。
上記ステップ３と４は任意回数行うことができる。
ステップ５：乾燥
電磁弁Ｖ５が開き圧縮空気でタービンブロア装置１１によりｐＨ電極先端を乾燥させる。空気は電磁弁Ｖ４が開き電極保持容器１０ａ外に排出される。
ステップ６：標準液ｐＨ４充填
電磁弁Ｖ１が開き吸入／排出ポンプ９の吸気作用により校正液（ｐＨ４）をレベルセンサー２ａで検知されるレベルまで電極保持容器１０ａに注入後Ｖ１が閉まり保持する。
ステップ７：標準液ｐＨ４戻し
測定器の値をｐＨ４に合わせた後、電磁弁Ｖ１が開き、吸入／排出ポンプ９の空気押し出し作用により、校正液ｐＨ４をその容器に戻す。
ステップ８：洗浄
電磁弁Ｖ３が開き吸入／排出ポンプ９の吸気作用により洗浄液をレベルセンサー２ａで検知されるレベルまで電極保持容器１０ａに注入後Ｖ３が閉まり保持する。
ステップ９：洗浄水排出
電磁弁Ｖ４が開き吸入／排出ポンプ９の空気押し出し作用により洗浄液を電極保持容器１０ａ外に排出する。
上記ステップ８と９は任意回数行うことができる。
ステップ１０：乾燥
電磁弁Ｖ５が開き圧縮空気でタービンブロア装置１１によりｐＨ電極先端を乾燥させる。空気は電磁弁Ｖ４が開き電極保持容器１０外に排出される。
ステップ１１：終了
ｐＨ電極を電極保持容器１０ａより取り外す。
【先行技術文献】
【特許文献】
【００１４】
【特許文献１】特開２０１７−３７０１８
【発明の概要】
【発明が解決しようとする課題】
【００１５】
本発明は、電極校正支援装置における、電極保持容器への校正液充填工程、洗浄液の注入工程及び乾燥工程に関するものであって、前記の特開２０１７−３７０１８に開示された電極校正装置は、吸入／排出ポンプの吸気作用により洗浄液や校正液をレベルセンサーによる検知レベルまで電極保持容器に注入して電極保持容器への校正液の充填や洗浄液の注入を行う。
しかし、この従来方法では吸入／排出ポンプの作動による吸入が必要であり且つレベルセンサーの設置が必要であり工程や構造が煩雑であった。
本発明では、前記した電極保持容器への校正液（標準液）の充填工程、洗浄液の注入工程及び乾燥工程において、以下説明するように手動による押出吸引手段を用いたもので、従来の吸引／排出ポンプの吸入動作が不要となり、且つ部品であるレベルセンサー及びその付属部品の設置も不要となり、装置の大幅な簡素化、作業者の労力軽減、不注意による校正の失敗、破損を防止する電極校正装置を提供することを課題とするものである。
【課題を解決するための手段】
【００１６】
前記課題を解決するために本発明は、
電極測定部を有する電極を保持する電極保持容器と、
ピストンとシリンダを含み、校正液を出し入れする校正液押出吸入手段と、
ピストンとシリンダを含み、洗浄液を送り出す洗浄液押出手段と、
ピストンとシリンダを含み、空気を送り出す空気押出手段とを含み、
前記電極保持容器には校正液出入口、及び排液口が形成され、
前記電極保持容器には洗浄液入口及び空気入口が形成され、
前記校正液入口は管により前記校正液押出吸入手段に接続され、
前記洗浄液入口は管により前記洗浄液押出手段に接続され、
前記空気入口は管により前記空気押出手段に接続され、
前記校正液押出吸入手段から前記電極保持容器への前記校正液の導入及び前記電極保持容器から前記校正液押出吸入手段への前記校正液の戻しを、圧縮空気又は吸引ポンプ等の吸引装置を用いず前記校正液押出吸入手段の前記ピストンの押し下げ及び押し戻しによって行い、
前記洗浄液押出手段から前記電極保持容器への前記洗浄液の導入を、圧縮空気又は吸引ポンプ等の吸引装置を用いず前記洗浄液押出手段の前記ピストンの押し下げ及び押し戻しによって行い、
前記空気押出手段から前記電極保持容器への前記空気の導入を、圧縮空気又は吸引ポンプ等の吸引装置を用いず前記空気押出手段の前記ピストンの押し下げ及び押し戻しによって行う、電極校正支援装置を提供する。
【００１７】
又、前記課題を解決するために本発明は、前記電極がｐＨ電極である前記に記載の電極校正支援装置を提供する。
【００１８】
又、前記課題を解決するために本発明は、前記電極がＤＯ電極である前記に記載の電極校正支援装置を提供する。
【発明の効果】
【００１９】
本発明は、電極校正支援装置における、電極保持容器への校正液充填、洗浄液の注入及び乾燥工程に関するものであって、前記の特開２０１７−３７０１８に開示された従来の電極校正装置では、吸入／排出ポンプの吸気作用により電極保持容器への校正液の充填、洗浄液の注入、乾燥を行う必要があった。しかし、これら方法では吸入／排出ポンプが必要であり、又、レベルセンサー及びその付属部品が必要であるため構造が煩雑であった。
【００２０】
本発明では、前記した電極保持容器への校正液充填、洗浄液の注入及び乾燥の各工程においての圧縮空気又は吸引ポンプ等の吸引装置の吸入動作が不要となり、且つ部品であるレベルセンサー及びその付属部品の設置が不要となり、電極校正支援装置の構造の大幅な簡素化を図ることができ、又、作業者の労力軽減、不注意による校正の失敗、破損を防止する電極校正装置を提供することが可能となった。
【００２１】
従って、本発明の電極校正装置を用いれば、校正液の洗浄、除去を十分に行うことができるため校正が正確となり、又、いちいち電極を取り外す必要が無いため硝子製の先端測定部を破損する等不都合な問題点が解消する。
そして、本発明の電極校正支援装置では、前記校正液及び前記洗浄液を前記電極保持容器に導入する際にピストンとシリンダを含む押出手段を用いて手動により校正液の出し入れや洗浄液及び空気の供給を容易に行うことができ、従来の吸引ポンプの設備を必要とせず、簡単な構造で前記校正液及び前記洗浄液を前記電極保持容器に導入できるため、圧縮空気又は吸引ポンプ等の吸引装置による吸入動作が不要となり及び電極保持容器でのレベルセンサーの設置が不要となる結果、電極校正装置が大幅に簡素化され製造コストが安価となるという大きな効果を有する。
【図面の簡単な説明】
【００２２】
【図１】本発明の一実施例であるｐＨ電極校正装置の全体の構成を示す図である。
【図２】本発明の別の一実施例であるｐＨ電極校正装置の全体の構成を示す図である。
【図３】本発明の別の一実施例であるｐＨ電極校正装置の全体の構成を示す図である。
【図４】本発明の別の一実施例であるｐＨ電極校正装置の全体の構成を示す図である。
【図５】本発明の別の一実施例であるｐＨ電極校正装置の全体の構成を示す図である。
【図６】本発明の別の一実施例であるｐＨ電極校正装置の全体の構成を示す図である。
【図７】本発明の別の一実施例であるｐＨ電極校正装置の全体の構成を示す図である。
【図８】本発明の別の一実施例であるｐＨ電極校正装置の全体の構成を示す図である。
【図９】従来の電極校正装置の全体の構成を示す図である。
【発明を実施するための形態】
【００２３】
本発明は、従来の電極校正装置のステップ１、６（標準液充填）、ステップ３、８（洗浄工程）及びステップ５、１０（乾燥工程）等の改良に関するものである。
【００２４】
本発明において用いられる電極は、ｐＨ電極とＤＯ（溶存酸素）電極を含む。電極の下部には測定部が設けられている。
【００２５】
又、本発明において電極保持容器とは、電極を支持する容器であって、電極を校正液や洗浄液に浸潤したり保持するものである。好ましくは管状の容器が用いられる。そして、好ましくは上部に電極を支持する部材を有し、例えば口金やパッキンなどを介して電極保持容器に気密に固定される。本発明の実施例では電極支持管の用語を用いる。
【００２６】
本発明の電極保持容器の一部、好ましくは側胴上部付近には空気入口が形成されている。この空気入口は空気押出手段に接続される。
【００２７】
又、本発明の電極保持容器の一部、好ましくは側胴上部付近には洗浄水入口が形成されている。この洗浄水入口は洗浄液押出手段に接続される。
【００２８】
又、電極保持容器の一部、好ましくは下部に、校正液出入口と排液口が形成される。
【００２９】
前記校正液出入口は、校正液押出吸入手段に管により接続される。ｐＨ電極の場合には、異なるｐＨ標準液がそれぞれ別々の校正液押出吸入手段に管により接続される。又、ＤＯ電極の場合には、ゼロ校正液が校正液押出吸入手段に管により接続される。
【００３０】
本発明で用いられる校正液とは、電極を校正する液体であり、ｐＨ電極の場合の標準液（ｐＨ４標準液、ｐＨ７標準液）や、ＤＯ電極の場合のゼロ校正液などである。
【００３１】
校正液は、校正液押出吸入手段（好ましくは、ピストン、シリンダからなるプランジャやポンプ等）に必要量が充填される。
【００３２】
又、校正液は、校正液押出吸入手段のピストンを押し込むことにより電極保持容器（電極支持管）に校正液を導入したり、校正液押出吸入手段のピストンが押し戻されることにより、電極保持容器（電極支持管）から校正液押出吸入手段（好ましくは、ピストン、シリンダからなるプランジャやポンプ等）に戻されたりする。
【００３３】
なお、校正液押出吸入手段と電極保持容器とを接続する管の途中を立ち上げることによって、校正液は残らず校正液押出吸入手段に回収されるので、電極保持容器と校正液押出吸入手段とを接続する管の途中を立ち上げることが好ましい。
【００３４】
本発明においては、校正液押出吸入手段として好ましくは、ピストン、シリンダからなるポンプ、プランジャや医療用の注射器のような液体を吸入排出可能な機器が使用できる。
【００３５】
本発明で用いられる洗浄液は、好ましくは洗浄水である。洗浄液とは電極等を洗浄する液体である。
【００３６】
洗浄液は、洗浄液容器に複数回の洗浄を行うのに十分な量が充填されている。
【００３７】
洗浄液容器と洗浄液押出手段とは逆止弁を介して管により接続されており、洗浄液が洗浄液押出手段から電極保持容器に供給された分量だけ洗浄液容器から逆止弁を介して洗浄液押出手段に供給される。
【００３８】
洗浄液は、洗浄液押出手段のピストンを押し込むことにより電極保持容器（電極支持管）に洗浄液が供給される。
【００３９】
前記ピストンの一部にはスイッチが設けられており、洗浄液押出手段（例えば、プランジャ等）のピストンを押し下げることにより、ピストンを押し下げると同時にスイッチがＯＮとなりピストンからの電気信号が排液弁に伝わり、電極保持容器の下部の排液弁が開となり、洗浄液押出手段の洗浄液は電極保持容器に供給される。
【００４０】
洗浄液が電極保持容器に供給された後、洗浄液により電極測定部が洗浄され、電極保持容器から排液口を経て外部に排出される。
【００４１】
本発明においては、校正液の容量については、電極保持容器に導入された校正液の液面が電極測定部を覆うことのできる十分な容量の校正液が校正液容器に充填される。
【００４２】
前記排液弁の開閉制御は、好ましくは、スイッチと電線で接続された弁を作動させて行うが、手動でも可能である。
【００４３】
本発明では、空気押出手段からの空気により電極保持容器に供給され電極の乾燥が行なわれる。
【００４４】
本発明では、空気押出手段として好ましくは、ピストン、シリンダからなるプランジャやポンプ等が用いられる。空気押出手段のピストンを押し込むことにより電極保持容器（電極支持管）に空気が圧送される。
【００４５】
本発明の電極校正支援装置を用いた電極校正の手順は以下のとおりである。
【００４６】
ステップ０：準備
電極を電極保持容器の上部より載置する。
【００４７】
ステップ１：校正液充填
校正液押出吸入手段のピストンを押すことにより校正液が電極保持容器に注入され保持される。
【００４８】
ステップ２：校正液戻し
測定器の値を標準値（例えば、ｐＨ電極の場合はｐＨ４、ＤＯ電極の場合はゼロ値）に合わせた後、ピストンを戻し校正液を校正液押出吸入手段に戻す。
【００４９】
ステップ３：洗浄
洗浄液押出手段のピストンを押し洗浄液を電極保持容器に注入し開いた排液弁より洗浄液を電極保持容器外に排出する。
上記ステップ３は任意回数行うことができる。
【００５０】
ステップ４：乾燥
空気押出手段のピストンを押し込み空気で電極先端に残留する洗浄水を吹き飛ばす。空気は排液弁が開き電極保持容器外に排出される。
【００５１】
ステップ５：校正液充填
ｐＨ電極の場合には、前記ステップ１からステップ５を標準液ｐＨ７についても同様に行う。
【００５２】
ステップ６：終了
電極を電極保持容器から取り外す。
【００５３】
又、電極がＤＯ電極である場合の本発明装置の電極校正の手順は、以下のようになる。
【００５４】
ステップ（０）：準備
【００５５】
電極を電極保持容器の上部より載置する。
【００５６】
ステップ（１）  ゼロ校正
校正液押出吸入手段のピストンを押し込み、ゼロ校正液を電極保持容器内に供給し、電極先端の電極測定部を浸す。そして、ゼロ校正をＤＯ電極と接続したＤＯ指示計にて行う。
【００５７】
ステップ（２）  ゼロ校正液戻し
校正液押出吸入手段のピストンを引き上げ、ゼロ校正液を校正液押出吸入手段に戻す。
【００５８】
ステップ（３）  洗浄
洗浄液押出手段のピストンを押し込み、洗浄液を電極保持容器に注入し開いた排液弁より洗浄液を排出する。ステップ（３）の洗浄は任意回数繰り返し可能。
【００５９】
ステップ（４）  乾燥
空気押出手段のピストンを押し込み、空気で電極先端に残留する洗浄水を吹き飛ばす。空気は排液弁が開き電極保持容器外に排出される。
【００６０】
ステップ（５）  スパン校正
【００６１】
指示計の値が１００％付近で安定したらスパン校正をＤＯ電極に接続されているＤＯ指示計にて行う。
ステップ（６）終了
【００６２】
以下本発明について、図面を参照して具体的な実施例について説明する。
【００６３】
（実施例１の１）
【００６４】
図１は、本発明の電極校正装置の一例であって、電極がｐＨ電極である場合の構成を示す。
【００６５】
ｐＨ  電極１は、電極先端部に隙間を設けてある管状の支持管２に載置されている。  電極の先端部分に電極測定部１１が形成されている。ｐＨ電極１は電極支持管２に載置されると上部の蓋により密閉となる。
【００６６】
電極支持管２には、ｐＨ  標準液（ｐＨ４）を収容するプランジャＩとｐＨ  標準液（ｐＨ７）を収容するプランジャＩＩとが接続してある。
【００６７】
又、電極支持管２には、洗浄水を充填した容器からの洗浄水を注入するプランジャＩＩＩと、空気を送るプランジャＩＶとが接続してある。更に電極支持管２には排液口２５が設けられている。
【００６８】
プランジャＩＩＩ及びプランジャＩＶのピストンＩＩＩ、ピストンＩＶ上部にはスイッチ（ＳＷ１、ＳＷ２）が取付けてあり、排液弁Ｖ１と電線で接続されている。当該プランジャＩＩＩ、ＩＶのピストンＩＩＩ、ＩＶを押込む時に、スイッチ（ＳＷ１、ＳＷ２）が入り電気信号が排液弁Ｖ１に送られ排液弁Ｖ１が開閉される。
【００６９】
全てのプランジャＩ、ＩＩ、ＩＩＩ、ＩＶのピストンＩ、ＩＩ、ＩＩＩ、ＩＶにはスプリング６が配置され、ピストンＩ、ＩＩ、ＩＩＩ、ＩＶを押込んだ後、手を放すと自然に元の位置に戻る機構になっている。
【００７０】
洗浄水入口２１は管によりプランジャＩＩＩに接続され、プランジャＩＩＩは逆止弁を介して洗浄水容器３に接続されている。
【００７１】
又、校正液はｐＨ７標準液及びｐＨ４標準液の２種が用意され、それぞれ別のプランジャＩ、ＩＩに充填されている。
【００７２】
又、空気入口２３は支持管２の上部（本実施例では支持管２の側胴部の上部）に形成され、プランジャＩＶに接続され、当該プランジャＩＶは吸排気弁Ｖ２を介して大気に接続されている。
【００７３】
本実施例では、ＳＷ１を押込むと点線で示す電気信号により排液弁Ｖ１が開き、洗浄水が支持管２に導入され、電極先端部を洗浄し、排液口２５から排液される。
【００７４】
プランジャＩＩＩ内のピストンＩＩＩは図１に示すようにピストンＩＩＩ内部に洗浄水の通路管４設けられており、ピストンＩＩＩが下押しされると洗浄水が通路管４を通って支持管２に供給される。
【００７５】
本実施例では１回の操作により支持管２に導入される標準液の量は、各ピストンＩ、ＩＩの上下移動距離を調節することにより適宜決定する。
【００７６】
標準液は各プランジャＩ、ＩＩから電極支持管２にピストンＩ、ＩＩの押込み動作により、電極測定部１１が標準液に覆われる程度の分量が圧送される。従って、本発明の実施例においては、標準液や洗浄水を電極支持管２へ充填するために必要な圧縮空気源や吸引ポンプ、並びにレベルセンサーは必要ではない。
【００７７】
又、電極支持管２への標準液や洗浄水の充填量は一定又は適量調節が可能なため、電極支持管２にレベルセンサーを設置する必要はない。
【００７８】
動作説明：実施例１の動作は以下のステップからなる。
【００７９】
以下の動作は手動で行われる。
（１）校正ｐＨ４
ＰＨ標準液（ｐＨ４）を充填したプランジャＩのピストンＩを押込むとプランジャＩ下部のチューブを通し支持管２のｐＨ標準液出入口２４からｐＨ標準液（ｐＨ４）が支持管２に浸潤し、電極先端（測定部１１）を満たす。ピストンＩを捻り、ピストン位置をロックし、この状態を維持する。ｐＨ電極の校正をｐＨ電極と接続したｐＨ調節計にて行う。
【００８０】
（２）ｐＨ標準液（ｐＨ４）戻し
ピストンＩを再び捻り、ロック解除し、手を放すとスプリング６の作用でピストンＩが元の位置に戻り、ｐＨ標準液がプランジャＩに戻される。
なお、図１に示すように、プランジャＩと電極支持管２とを接続するチューブは途中を立ち上げてある。このため、ｐＨ標準液は残らずプランジャＩ内に回収される。
【００８１】
（３）洗浄
洗浄水を充填したプランジャＩＩＩのピストンＩＩＩを押込むとピストンＩＩＩの上部のチューブを通し支持管２の上部の洗浄水入口２１から洗浄水が支持管２内に注入される。ピストンＩＩＩを押込む際にピストンＩＩＩ上部のスイッチＳＷ１が押されると（ＯＮ）、排液弁Ｖ１が開き、測定部１１を洗浄した洗浄水は外部に排出される。ピストンＩＩＩを放すとＳＷ１はＯＦＦになり、排液弁Ｖ１が閉まると共に、洗浄水容器３からプランジャＩＩＩ内に洗浄水が補充される。
洗浄を十分に行うため、この動作を繰り返し行う。
【００８２】
（４）乾燥
プランジャＩＶのピストンＩＶを押込む際にＳＷ２が押されると（ＯＮ）、排液弁Ｖ１が開き、吸排気弁Ｖ２が閉まる。ピストンＩＶを押込み、測定部１１に空気を送り込む。ピストンＩＶを放し、再び押込む動作を繰り返し十分な水切りを行う。（フイゴ作用）
【００８３】
（５）校正ｐＨ７
【００８４】
ＰＨ標準液（ｐＨ７）を充填したプランジャＩＩのピストンＩＩを押込むとプランジャＩＩ下部のチューブを通し支持管２下部からｐＨ標準液（ｐＨ７）が支持管２内に浸潤し、電極先端（測定部１１）を満たす。ピストンＩＩを捻り、ピストンＩＩ位置をロックし、この状態を維持する。ｐＨ７の校正をｐＨ電極１と接続したｐＨ調節計にて行う。
【００８５】
（６）ｐＨ標準液（ｐＨ７）戻し
【００８６】
ピストンＩＩを再び捻り、ロック解除し、手を放すとスプリング６の作用でピストンＩＩが元の位置に戻り、ｐＨ７標準液がプランジャＩＩに戻される。
【００８７】
（７）洗浄
洗浄水を充填したプランジャＩＩＩのピストンＩＩＩを押込むとピストンＩＩＩ上部のチューブを通し支持管２上部から洗浄水が支持管２内に注入される。ピストンＩＩＩを押込む際にピストンＩＩＩ上部のスイッチＳＷ１が押されると（ＯＮ）、排液弁Ｖ１が開き、測定部１１を洗浄した洗浄水は外部に排出される。ピストンＩＩＩを放すとＳＷ１はＯＦＦになり、排液弁Ｖ１が閉まると共に、洗浄水容器からプランジャＩＩＩ内に洗浄水が補充される。
【００８８】
洗浄を十分に行うため、この動作を繰り返し行う。
【００８９】
（８）水切り
【００９０】
プランジャＩＶのピストンＩＶを押込む際にＳＷ２が押されると（ＯＮ）、排液弁Ｖ１が開き、吸排気弁Ｖ２が閉まる。ピストンＩＶを押込み測定部１１に空気を送り込む。ピストンＩＶを放し、再び押込む動作を繰り返し十分な水切りを行う。（フイゴ作用）
【００９１】
（９）終了
【００９２】
本実施例の発明では、従来の吸入／排出ポンプによる吸引方式と異なり、手動によりｐＨ標準液及び洗浄水を吸引／排出するもので、これまで必須であった吸入／排出ポンプや、支持管に取り付ける液面センサ等の装置、部品のが不要となり大幅なコスト低減ができた。
【００９３】
（実施例１の２）
【００９４】
実施例１の２では図２に示すように、通路管４がピストン内部を通らずプランジャの下部から支持管に接続されている以外は、実施例１の１と同様である。
【００９５】
実施例１の１と比べてピストンの構造が簡単となり、コスト低減となった。
【００９６】
（実施例２の１）  
本実施例２では、図３に示すようにピストンＩＩＩに押板５が設けられており、ピストンＩＩＩを押し込むことにより押板５がスイッチＳＷ１に当接してスイッチＯＮとなる以外は、実施例１の１と同様である。
【００９７】
実施例１の１のスイッチと比べて構造が簡単となりコスト低減となった。
【００９８】
（実施例２の２）
【００９９】
実施例２の２では図４に示すように、通路管４がプランジャＩＩＩの下部から支持管２に接続されている以外は実施例２の１と同様である。
【０１００】
実施例２の１と比べてピストンの構造が簡単となり、コスト低減となった。
【０１０１】
（実施例３の１）  
本実施例３の１では、図５に示すように吸排気弁Ｖ２の開閉をソレノイド７を用いた構造とした以外は実施例２の１と同様である。
【０１０２】
（実施例３の２）
実施例３の２では図６に示すように、通路管４がプランジャＩＩＩの下部から支持管２に接続されている以外は実施例３の１と同様である。
【０１０３】
実施例３の１と比べてピストンＩＩＩの構造が簡単となり、コスト低減となった。
【０１０４】
（実施例４）
【０１０５】
実施例４では図７に示すように、プランジャＩＶのピストンＩＶに吸排気口６を設けソレノイド７を廃止した以外は、実施例３の２と同様である。ピストンＩＶを押す時、吸排気口６を手で塞ぐとプランジャＩＶの空気が抜けずに電極１に送られる。
【０１０６】
実施例３の２と比べてソレノイド７が不要となり、構造が簡単となり、コスト低減となった。
【０１０７】
（実施例５）
【０１０８】
実施例５では図８に示すように、押板５を廃止し、スイッチＳＷ２をピストンＩＶの上部に設け、吸排気口６をスイッチＳＷ２のスイッチノブ８に設けた以外は、実施例４と同様である。スイッチ付ピストンＩＶを押す時、スイッチノブ８上の吸排気口６を手で塞ぐとプランジャＩＶの空気が抜けずに電極１に送られる。
【０１０９】
実施例４と比べて、スイッチのオンオフと吸排気口６の開閉の両方の動作が指先で一度の動作で確実容易に行え、又、押板５が不要となり、コスト低減となった。
【符号の説明】
【０１１０】
１  ｐＨ電極
１１  電極測定部
２  電極支持管
２１  洗浄水入口
２３  空気入口
２４  ｐＨ４標準液出入口
２５  排液口
２６   ｐＨ７標準液出入口
３  洗浄水容器
４  通路管
５  押板
６  吸排気口
７  ソレノイド
８  スイッチノブ
Ｖ１  排液弁
Ｖ２  吸排気弁
ＳＷ１，ＳＷ２  スイッチ
【図１】
2018155575.tif 000003
【図２】
2018155575.tif 000004
【図３】
2018155575.tif 000005
【図４】
2018155575.tif 000006
【図５】
2018155575.tif 000007
【図６】
2018155575.tif 000008
【図７】
2018155575.tif 000009
【図８】
2018155575.tif 000010
【図９】
2018155575.tif 000011